(57)【特許請求の範囲】
【請求項１】
鋳鉄を用いて成型され、上部円筒（２）の上端開口部には蓋板（５）が嵌合する受枠部（４）が、下部円筒（３）の下部にはラッパ状に拡開した弁室（６）が形成され、弁室（６）下端には外向きのフランジ（７）を周設してなり、上部円筒（２）と下部円筒（３）が螺合するよう構成された弁筐（１）において、弁筐（１）の該フランジ（７）には切欠き（８）を設け、弁筐（１）を保持する環状の台座（９）は、弁筐（１）と同じ鋳鉄で成型し、弁筐（１）の下部円筒（３）のラッパ状に拡開した弁室（６）下端開口部の内径にほぼ等しい内径を有する円形の透孔を形成し、表面内側には弁筐（１）に設けたフランジ（７）が嵌合し弁筐（１）を保持する保持部（１１）を保持部（１１）の外周に添って環状の壁（１２）を隆設して設け、該環状の保持部（１１）には弁筐（１）のフランジ（７）に設けた切欠き（８）に嵌合係止する突起（１３）を隆設すると共に、台座（９）の裏面に下端が尖ったスパイク状の突起（１４）を垂設、又は台座（９）表面より透孔を穿設し透孔に釘を挿入固定してスパイク状の突起（１４）とし、弁筐（１）及びその台座（９）はダクタイル鋳鉄を成型用の鋳鉄に用い、肉厚を１０ｍｍ以下としたことを特徴とする弁筐及びその台座。
【発明の詳細な説明】
【０００１】
【発明の属する技術分野】
本発明は、地中に埋設された水道配管の制水弁、ガス配管の制御弁などを保護し操作するために、制水弁または制御弁取付部に設置される弁筐及びその台座に関するものである。
【０００２】
【従来の技術】
水道配管の制水弁に設けられる制水弁筐、ガス配管の制御弁に設けられる制御弁筐などは、地表面より弁の取付位置までの深さが取付場所により異なるので、高さを調節できるよう上部円筒と下部円筒が螺合するよう構成されており、上部円筒の上端開口部には蓋が嵌合する受枠部が、下部円筒の下部にはラッパ状に拡開した弁室が形成されるのが普通で、一般に鋳鉄で成型され、螺子式制水弁筐、螺子式制御弁筐、略して、弁筐又はねじ筐と呼ばれている。なお、上部円筒が下部円筒に外挿する形式と、内挿する形式の二種類が用いられており、本発明では、これらを弁筐と略称する。
【０００３】
これら弁筐の設置は、下部円筒の弁室に中央部に制水弁が位置するように施工されるが、弁筐が埋設後に沈下しないようコンクリートやプラスチックスなどで環状に成型した台座上に据付けられてきた。
【０００４】
【発明が解決しようとする課題】
以上述べた如く、弁筐は台座上に据付けられたのち埋設されるが、高さを調節する際に上部円筒を回転させと、下部円筒と共に回転することがあり、特に、埋設前の高さの調節時には下部円筒を動かないようにするため人手が必要になり、また、設置後道路の補修で嵩上げする際にも下部円筒が上部円筒と共に回転し、高さの調節ができず、下部円筒部まで掘り起こす必要があるなどの問題点があった。
【０００５】
近時、暖地の都会地においては、歩道などの地下に水道配管が埋設されるので深さが従来より浅くなり、制水弁なども浅い位置に設けられるので、弁筐も高さの低いものが使用されるようになり、台座も厚いコンクリート製を使用するときは台座の厚さを考慮して弁筐を用意する必要があり、従って台座は弁筐の高さに影響しない薄い製品が要望され、プラスチックスなどで成型された薄い台座が使用されるようになったが、プラスチックス製の台座は滑りやすいので前述の如く弁筐の高さを調節しにくく、また、弁筐の交換補修時弁筐は古鉄で再利用できるが、プラスチックス製は別に廃棄処理する必要があるなどの問題点がある。
【０００６】
そこで、弁筐と台座を一体成型することを検討したが、重量が増し、運搬、在庫などに容積がとられ、取り扱いにくくなるなどの問題点があった。
【０００７】
【課題を解決するための手段】
上記の問題点を解決するために、本発明は、台座を弁筐と同じ鋳鉄で製造するすると共に厚さを薄くし、台座と弁筐の下部円筒の間に係止機構を設けて、弁筐の下部円筒を台座に係止して動かないように構成することにより解決せるものである。
【０００８】
即ち、弁筐は鋳鉄特にダクタイル鋳鉄で製造された場合、強度が強く、肉厚など薄くてよいので、台座もダクタイル鋳鉄で製造したところ、厚さは１０ｍｍ以下で、かつ、環状帯の幅を１００ｍｍ以上にするも曲がること無く良好な結果が得られることが分かった。
【０００９】
【発明の実施の形態】
本発明は、弁筐の下部円筒のラッパ状に拡開した弁室の下端に外向きのソランジを周設し、該フランジには台座にもうける突起が嵌合係止する切欠きを設け、環状の台座は、中央部の円形の透孔は弁筐の下部円筒のラッパ状に拡開した弁室の下端開口部の内径にほぼ等しい内径を有し、表面内側には弁筐に設けたフランジが嵌合し載置する環状の保持部を環状の壁を隆設するなどして設け、該環状の保持部にはフランジに設けた切欠きに嵌合係止する突起を隆設する。
【００１０】
なお、環状の台座は、鋳鉄で製造し薄い円板の中央部に円形の透孔を形成した形状をなすが、環状の保持部の外側に隆設する環状の壁は弁筐が保持部より外れなければよいので、高さも低く、複数カ所間隔をおいて壁を隆設するも、環状の表面を段状に外側より内側を低くなるよう形成するも差し支えなく、また、台座が設置場所に固定されるように裏面に下端が尖ったスパイク状の突起を複数個垂設するか、透孔を表面より穿設し釘などを打ち込み設置場所に固定できるように構成するとよい。
【００１１】
また、弁筐を台座上に載置せるとき、がたつきを無くすため、フランジが嵌合載置される台座の環状をなす保持部表面に、間隔をおいて三カ所台状部を隆設しその上面を同一平面となるようにし、台状部上面で弁筐を担持するよう構成するとよい。なお、台状部は保持部より僅か高くすれば良い。
【００１２】
【実施例】
本発明を実施例にもとずき図面を参照して説明する。
図１に示す如く、本実施例の弁筐（１）は、鋳鉄で成型してなり、上部円筒（２）と下部円筒（３）が螺合し、全体の高さを調節でき、上部円筒（２）の上端開口部には蓋板（５）が嵌合する受枠部（４）が、下部円筒（３）の下部にはラッパ状に拡開した弁室（６）が形成され、弁室（６）の下端には外向きのフランジ（７）を周設してなり、該フランジ（７）には切欠き（８）を設ける。
【００１３】
図１、２に示す如く、弁筐（１）を保持する環状の台座（９）は、弁筐（１）の下部円筒（３）のラッパ状に拡開した弁室（６）の下端開口部の内径にほぼ等しい内径を有する円形の透孔を有し、表面内側には弁筐（１）に設けたフランジ（７）が嵌合し弁筐（１）を保持する環状の保持部（１１）を環状の壁（１２）を隆設するなどして設け、該環状の保持部（１１）には弁筐（１）のフランジ（７）に設けた切欠き（８）に嵌合係止する突起（１３）を隆設する。
【００１４】
なお、台座（９）には保持部（１１）表面に、間隔をおいて三カ所台状部（１５）を隆設しその上面を同一平面となるようにし、台状部（１５）上面で弁筐（１）を担持するよう構成し、また、台座（９）裏面に複数カ所間隔をおいて下端が尖ったスパイク状の突起（１４）を垂設する。
【００１５】
【発明の効果】
本発明は、以上説明したような形態で実施され、以下に記載されるような効果を奏する。
【００１６】
弁筐は、薄い鋳鉄で成型された台座上に設置されるので、浅い場所でも台座の厚さを考慮することなく設置することができる。
【００１７】
又、弁筐は、設置場所にスパイク状の突起などで固定され、かつ鋳鉄で成型され安定性のある台座上に係止保持されているので、沈下することなく、また、埋設時などにずれる恐れもなく、高さの調節も容易に行なうことができるものである。
【００１８】
また、台座は弁筐と同じ鋳鉄で成型されているので、廃棄するとき弁筐と共に処理すればよく、古鉄として使用でき、埋め立て処理されても腐蝕し公害が生ずる恐れもない。
【図面の簡単な説明】
【図１】左半分を断面で示した弁筐及びその台座の側面図である。
【図２】台座の平面図である。
【符号の説明】
１    弁筐
２    上部円筒
３    下部円筒
４    受枠部
５    蓋板
６    弁室
７    フランジ
８    切欠き
９    台座
１１    保持部
１２    壁
１３    突起
１４    （スパイク状の）突起
１５    台状部
【図１】
0004038759.tif 000002
【図２】
0004038759.tif 000003